(57)【要約】 【課題】  本発明は、商品の袋詰め等の作業に際して、袋の開口を閉じるために一つずつ封止テープを切り取り袋体に貼着する手間を軽減することを目的とするものである。  従って、袋体の開口部を閉じるための封止テープを袋体に貼付して袋体を製造するための封止テープの袋体への貼付装置の提供を課題とする。【解決手段】第一の粘着部と第二の粘着部とを有する封止テープを袋体に貼付する封止テープの袋体への貼付装置で、長尺状の封止テープを送るための送りローラと送られた封止テープを間欠回転で送る本体ローラとを有し、本体ローラは封止テープを吸引する吸引部を有し、吸引部で吸引する封止テープを所定の間隔で切断する切断部を有し、切断した封止テープの吸引部の吸引を中止して第二の粘着部で袋体に粘着して袋体に封止テープを装着する封止テープの袋体への貼付装置である。【選択図】図４
2019031292.tif 000002
【特許請求の範囲】
【請求項１】
第一の粘着部１５と第二の粘着部１６とを有する封止テープ１を袋体に貼付する封止テープの袋体への貼付装置であって、
長尺状の封止テープ１を送るための送りローラ４と送られた封止テープ１を間欠回転で送る本体ローラ３とを有し、
本体ローラ３は封止テープ１を吸引する吸引部３１を有し、
吸引部３１で吸引する封止テープ１を所定の間隔で切断する切断部３２を有し、
切断した封止テープ１の吸引部３１の吸引を中止して第二の粘着部１６で袋体に粘着して袋体に封止テープ１を装着することを特徴とする封止テープの袋体への貼付装置。
【請求項２】
本体ローラ３の間欠回転は一定の間隔で間欠回転するものであり、間欠回転の間隔で切断部３２により封止テープ１を切断するものであることを特徴とする請求項１記載の封止テープの袋体への貼付装置。
【請求項３】
本体ローラ３の封止テープ１を吸引する吸引部３１は封止テープ１が送られる回転方向に順次連設して多数設けていることを特徴とする請求項１又は２のいずれかに記載の封止テープの袋体への貼付装置。
【請求項４】
吸引部３１の間隔は切断すべきそれぞれの封止テープ１の間隔で形成し、少なくとも切断すべきそれぞれの封止テープ１毎に設けていることを特徴とする請求項３に記載の封止テープの袋体への貼付装置。
【請求項５】
本体ローラの封止テープを吸引する吸引部は、切断すべきそれぞれの封止テープ毎の幅方向に複数有することを特徴とする請求項３又は４のいずれかに記載の封止テープの袋体への貼付装置。
【発明の詳細な説明】
【技術分野】
【０００１】
本発明は、袋体の開口部等を閉じることのできる粘着剤層を有する封止テープを袋体に貼付する封止テープの袋体への貼付装置に関する。
【背景技術】
【０００２】
封止テープは袋体の開口部に関して袋体内に内容物を収納後、この袋体の開口部を閉じるために多用されている。
例えば商品の販売時にビニール袋や提げ手付き袋等に商品を入れた後、商品がこぼれ出ないように該袋体の開口部をセロファンテープ等の粘着剤層を有する封止テープを用いて閉じるものである。
従って例えば買い物等をした場合にレジ等で商品を袋体内に入れた上で開口部を粘着層を有するテープで一つずつ閉じるものであり、長尺状の封止テープを巻回してある一巻きのテープから使用量に応じて必要量を一つずつ切りとることにより、このテープを封止テープとして使用しているものである。
【０００３】
このことからこのテープを使用するたびに一つずつ任意の長さを切り取り、これを貼り付けることが必要となる。
従って多数量の袋体を順次封鎖して粘着テープで封鎖することは非常に手間がかかるものとなる。
特にそれぞれ封鎖するために任意の位置に正確に貼り付けることが必要であって、その手間は膨大なものとなる。
更に医療用パッド等の吸収性物品を包装シートで包装し、この開口部を封鎖テープで封鎖するが、該封鎖テープには更に異なる接着剤層を有するものであって、第一の粘着剤層と第二の粘着剤層と第三の粘着剤層とを有し、第一の粘着剤層と第二の粘着剤層部により開口部を予め閉じておき、このうちの第二の粘着剤層を剥がすことにより一旦開封し、更に該開口部を再度封鎖するために第三の粘着剤層を用いて再封鎖するための封止テープも存在する。
【０００４】
例えば特開２０１３−７５０１２号（特許文献１）に示す個装吸収性物質は該封止テープを用いた個装吸収性物質である。
このように再貼付のための封止テープも存在するが、これを包装シートの任意位置に正確に貼付することが必要である。
例えば予めこの様な封止テープを多数用意し、これを一つずつ包装シートに貼付することも可能部あるが、これは極めて煩雑であり、手数が多大に掛かるものである。
【先行技術文献】
【特許文献】
【０００５】
【特許文献１】特開２０１３−７５０１２号
【発明の概要】
【発明が解決しようとする課題】
【０００６】
以上の様に、袋体に関しては袋体内に内容物を封入するものであるが、袋体の開口部から内容物を入れるものであり、この内容物がこぼれ出ないように開口部を閉じることも必要となる。
例えば前述のように買い物に際して買い物袋を用いて商品を袋内に商品を入れるが、この際にはセロファンテープ等で開口部を閉じることが必要となる。
従ってこのセロファンテープで袋体の開口部を閉じるには一つずつテープを切り取り必要な個所に貼付することが必要であり、手間のかかるものとなる。
【０００７】
この様に一人に一つか二つ程度であれば若干の手間はかかってしまっても、ある程度許容はできるものとなる。
しかし、例えば販売者側において生鮮品等を販売するに際して予め袋詰め等する場合には、長尺状の封止テープに関し、巻回してある一巻きのテープから使用量に応じて必要量を一つずつ切り、この切り取ったテープを一つずつ開口部を閉じることが必要となり極めて手数がかかるものであって煩雑な手続きを必要としてしまうものである。
例えばキャベツやトマト、或いは果物等を袋体内に入れて販売することは多く用いられているが、この袋詰め作業は極めて手間のかかるものとなっている。
【０００８】
この場合例えば医療品雑貨のように販売時には粘着テープによって封鎖しており、一旦開封して内容物を使用し、この収納後の内容物を再度この袋体内に封入して廃棄する場合等は前記した特許文献１に示すように再封鎖を可能とする封止テープを使用する構成も存在している。
係るテープも有用ではあるが、そもそもこのテープを定位置に一つずつ付けることが必要となるものであって、それには多大な労力がかかってしまう。
【０００９】
従って、商品の袋詰め等に作業に際して、多数の袋詰めの手間を低減してきれいに封鎖できる封止テープを有する袋体は極めて使い勝手がよいものである。
以上より簡単に袋体の開口部を簡単に閉じることのできる封止テープを有する袋体の提供が望まれるものであり、この様な封止テープを有する袋体の製造ができる製造装置の提供が望まれるものである。
【課題を解決するための手段】
【００１０】
前記課題を解決するためまず、請求項１に係る発明は、第一の粘着部と第二の粘着部とを有する封止テープを袋体に貼付する封止テープの袋体への貼付装置であって、長尺状の封止テープを送るための送りローラと送られた封止テープを間欠回転で送る本体ローラとを有し、本体ローラは封止テープを吸引する吸引部を有し、吸引部で吸引する封止テープを所定の間隔で切断する切断部を有し、切断した封止テープの吸引部の吸引を中止して第二の粘着部で袋体に粘着して袋体に封止テープを装着する封止テープの袋体への貼付装置により袋体に封止テープの装着ができる。
【００１１】
この場合、請求項２に係る発明のように本体ローラの間欠回転は一定の間隔で間欠回転するものであり、間欠回転の間隔で切断部により封止テープを切断する封止テープの袋体への貼付装置を用いるものであってもよい。
或いは請求項３に係る発明のように本体ローラの封止テープを吸引する吸引部は封止テープが送られる回転方向に順次連設して多数設けている封止テープの袋体への貼付装置を用いてもよい。
【００１２】
更に、請求項４に係る発明のように吸引部の間隔は切断すべきそれぞれの封止テープの間隔で形成し、少なくとも切断すべきそれぞれの封止テープ毎に設けている封止テープの袋体への貼付装置でもよい。
又、請求項５に係る発明のように本体ローラの封止テープを吸引する吸引部は、切断すべきそれぞれの封止テープ毎の幅方向に複数有する封止テープの袋体への貼付装置を用いてもよい。
【発明の効果】
【００１３】
以上のように構成したことからまず請求項１に係る発明により商品を収納する袋体自体に封止テープを有しており、該封止テープで該袋体内に内容物入れた際に該開口部を封鎖できる封止テープを予め有している袋体の提供ができるものであり、係るために袋体に封止テープを貼付する貼付装置の提供ができる。
従って封止テープを有する袋体を製造できるものであって、大量の袋体に封止テープを容易にかつ確実に貼付することのできる封止テープの袋体への貼付装置を提供できるものである。
【００１４】
係る袋体により、袋体内に生鮮品等の内容物を入れた際に別途この袋体の開口部を閉じるための封鎖具例えばセロファンテープ等を１つずつ切り剥がして封鎖する手間を除くことができ、袋体の封鎖を簡単に行えることとなる。
このための予め封止テープを有する袋体自体を製造できる貼付装置の提供を可能とする。
特に袋体に封止テープを貼付するために本体ローラ等で封止テープを送る際に接着面を該本体ローラ等と接することなく、かつ送られる封止テープを該本体ローラにきっちりと密着状態で送ることができ、送られた封止テープを任意の大きさに切断の上袋体に貼着することのできる封止テープの袋体への貼付装置を提供できる。
【００１５】
次に請求項２に係る発明により、間欠回転により封止テープの送り、切断、袋体への貼付を適切に行うことを可能とする。
又請求項３に係る発明により本体ローラには封止テープを吸引する多数の吸引部を有しており、多数の吸引部により封止テープを本体ローラに密着状態で送ることを可能とする。
特に請求項４に係る発明のように切断する封止テープ毎に吸引部を有しており、それぞれ切断したテープ自体に対して一の吸引部を有するものとなって、より確実に封止テープを本体ローラに密着することができ、係る状態で封止テープを送ることができるものである。
【００１６】
又、請求項５に係る発明により本体ローラに有する吸引部は送られる封止テープの幅方向に複数有するものであり、幅方向に若干の長さを有する封止テープであっても複数個所で本体ローラに吸引されるものとなり、封止テープを本体ローラに密着して送ることができる。
【図面の簡単な説明】
【００１７】
【図１】本発明に係る封止テープの袋体への貼付装置に用いる封止テープの一例を示す図。
【図２】本発明に係る封止テープの袋体への貼付装置を用いて袋体に封止テープを粘着した袋体の一例を示す図。
【図３】本発明に係る封止テープの袋体への貼付装置を用いて封止テープを粘着した袋体の該封止テープを用いて封鎖した状態の一例を示す図。
【図４】本発明に係る封止テープの袋体への貼付装置の流れの一例を示す図。
【図５】本発明に係る封止テープの袋体への貼付装置の本体ローラの一例の一部を示す図。
【図６】本発明に係る封止テープの袋体への貼付装置の本体ローラの一例の一部を示す図。
【発明を実施するための形態】
【００１８】
図１は、本発明に係る袋体に貼着している封止テープ１の一例を示す図である。
樹脂製フィルム地の一面に粘着部材１０を有しており、その中央部に剥離部１１を有した封止テープ１であって封止テープ１の両端部方向には第一の粘着部１５と第二の粘着部１６をそれぞれ形成している。
このうちの第一の粘着部１５は剥離部方向に折り曲げられて重ねられている。
【００１９】
第二の粘着部１６は粘着部層が剥離テープ１７によって覆われている状態である。
この様な封止テープ１の第二の粘着部の剥離テープ１７をはがすことより第二の粘着部１６が表出しこれによって袋体に粘着させて、封止テープ１を有する袋体を形成する。
【００２０】
尚、この封止テープ１は使用状態の一例であり、袋体に第二の粘着部１６で粘着させる前の段階では例えば長尺状のテープの短手方向の両端部分にそれぞれ第一の粘着部１５と第二の粘着部１６を有し、その中間に剥離部１１を有した上で第一の粘着部１５を剥離部１１に折り込んで重ねた状態とした長尺状の封止テープを巻回したロールを用いて、順次必要な幅に切断して封止テープ１を形成し、この封止テープ１の該第二の粘着部１６で袋体に装着するものであってもよい。
【００２１】
特に第二の粘着部１６には、製造段階で前記の通り剥離テープ１７が貼着しており、製造時に不用意に第二の粘着部１６が他の部位に粘着しないように形成し、この封止テープ１を袋体に貼着する前の段階でこの剥離テープ１７を除去することによってこの第二の粘着部１６を用いて袋体に貼着できるものである。
尚、第一の貼着部１５は図１に示すように剥離部方向に折り曲げており、第一の粘着部１５は表出されていないが、この折り曲げられている部分を開くことによって剥離部１１から剥がすと第一の貼着部１５の表面が表出する。
【００２２】
例えば第二の貼着部１６で袋体に粘着しているこの封止テープ１を更にこの折り曲げられている第一の貼着部１５を広げて剥離部１１から引き剥がすことにより第一の貼着部１５が表出することによりこの第一の貼着部１５を用いて袋体の開口部分を封鎖できる。
例えば袋体内に内容物を入れた後に袋体の第二の粘着部１６とこの第一の粘着部１５の二か所で袋体の開口部を封鎖することによって内容物を封入できるものとなる。
【００２３】
尚、第一の貼着部１５の先端部分にはティアテープ１２を有しており、この第一の粘着部１５の先端は折り曲げられた状態でも粘着しておらず、簡単につまめる状態となっている。
従って第一の粘着部１５を表出されるために折り曲げ部分を広げる際には簡単にこの先端部分をつかむことができる。
【００２４】
図２は、本発明に係る封止テープ１を有する袋体の一例を示す図である。
本図に示す通り、封止テープ１の第二の粘着部１６と粘着していた剥離テープ１７をはがすことにより第二の粘着部１６が表出することからこの第二の粘着部１６をもって袋体Ａに粘着している状態の一例を示している。
【００２５】
例えば本図のように袋体Ａの開口部周辺に該封止テープ１を装着する。
これにより封止テープ１を有する袋体Ａを提供できる。
尚、第一の粘着部１５は折り込まれて剥離部１０に粘着していることから、この部分の粘着部は表出していない。
【００２６】
図３は、更にこの袋体Ａ内に内容物を入れて袋体Ａを丸めこんで或いは折り込んで封入した際の封止テープ１で袋体Ａを封鎖する一例を示す図である。
袋体Ａ内に内容物を入れた上で封止テープ１の第一の粘着部１５で袋体Ａに粘着させて袋体Ａ内に内容物を封入するものである。
この様に袋体Ａの開口部内に内容物を収納した上で、袋体Ａを折り込んで内容物を収納することができる。
【００２７】
即ち該封止テープ１の剥離部１１に重なって貼着している第一の粘着部１５を剥がして表出させるものであり、折り曲げた第一の粘着部１５を引き剥がして表出させる。
この場合第一の粘着部１５を有する封止テープ１の先端部分にはティアテープ１２を有していることから、簡単にこの部分をつまむことができ第一の粘着部１５を表出させるために剥離部１１から引き剥がせるものとなる。
この様に第一の粘着部１５が表出することとなり、この第一の粘着部１５を用いて袋体Ａの開口部を封鎖することができる。
【００２８】
図４は、本発明に係る封止テープの袋体への貼付装置の封止テープを袋体Ａへ貼付する流れの一例を示す図である。
まず封止テープ１の長尺状のテープを送りローラ４を用いて本体ローラ３に送る。
この長尺状の封止テープ１は、該長尺状の封止テープのローラ２の短手方向の両端部分にそれぞれ第一の粘着部１５と第二の粘着部１６を有し、その中間に剥離部１１を有した上で第一の粘着部１５を剥離部１１に折り込んで重ねた状態とした封止テープ１である。
【００２９】
この様なテープ１を送って本体ローラ３で任意の必要幅に切断した上で袋体Ａに貼着するものである。
尚、該長尺状の封止テープ１のローラ２は第二の粘着部１６が表出するものであるが、該第二の粘着部１６の表面には別途剥離テープ１７を貼着しており、該長尺状の封止テープ１のロール２を巻回したドラムを形成してこのドラムから本体ローラ３に送った場合には第二の粘着部１６はこの剥離テープ１７によって他の部位に粘着することなく送ることができる。
【００３０】
この様に長尺状の封止テープ１のローラ２から送りローラ４を用いて封止テープ１が送られ、本体ローラ３へモータＭ等を用いて送られる。
この場合封止テープ１の第二の粘着部１６が送りローラ４の外部方向に向いた状態で封止テープ１は本体ローラ３に送られるものである。
更にこの送りに際して第二の粘着部１６に粘着していた剥離テープ１７を外し、巻き取りローラ５で巻き取るものである。
【００３１】
該本体ローラ３は、間欠的に回転することにより封止テープ１を送るものである。
即ち本体ローラ３の回転に際しては回転動作の合間に回転が停止するものであり、間欠的に本体ローラ３が回転するものである。
例えば０．１秒乃至１秒程度のゆっくりとした回転動作の後に数秒程度の回転の停止を行い、更に０．１秒乃至１秒程度のゆっくりとした回転動作を行い、その後に又一旦停止し、回転動作と停止とを繰り返して間欠的に回転するものである。
【００３２】
モータＭ等によってこの本体ローラ３の回転が制御される。
この様な本体ローラ３にはその封止テープ１の位置に吸引部３１を有する。
従って封止テープ１が本体ローラ３に密着するように吸引部３１から封止テープ１が吸引されて本体ローラ３に密着した状態で送られるものとなる。
この本体ローラ３の吸引部３１は封止テープ１が送られる回転方向に順次連設して多数設けられている。
【００３３】
この様に本体ローラ３によって吸着状態で送られる封止テープ１は更に切断部３２で任意の幅に切断される。
即ち図１に示す形態の封止テープ１であっても任意の幅で順次切断部で切断され、図２や図３に示す短い幅の封止テープ１となるものである。
例えば間欠的に本体ローラ３が回転して封止テープ１を送るものであり、該間欠回転の間隔例えば一旦停止している状態で特定位置において封止テープ１を切断することにより等間隔で長尺状の封止テープ１を切断できるものであり、任意の長さの個々の切断された幅の狭い封止テープ１を形成できることとなる。
【００３４】
この切断された個々の封止テープ１はそれぞれ吸引部３１によって本体ローラ３に吸引されていることから本体ローラ３の回転に伴って送られるものである。
従って本体ローラ３の吸引部３１は少なくとも一定の長さで切断する封止テープ１毎に吸引部３１を有することが望ましいものである。
例えば該吸引部３１としての吸引のための孔３１０を有しており、該孔３１０から封止テープ１を吸引して吸着する構成等をとるものである。
【００３５】
或いは、その他の吸引或いは吸着の構造を有しているものであってもよい。
この様に構成することにより任意の幅で長尺状の封止テープ１を切断でき、所定の幅のそれぞれ個々の封止テープ１を形成できる。
この様な封止テープ１が更に送られると袋体Ａが送られるコンベア６等と合流するものである。
【００３６】
この合流点で袋体Ａの必要個所に該封止テープ１の第二の粘着部１６を粘着させることにより袋体Ａへ封止テープ１を装着するものである。
この場合、合流地点で吸引部３１の吸引を中止し、本体ローラ３から封止テープ１を外せる状態とし、該袋体Ａの任意個所に第二の粘着部１６を粘着させる袋体Ａへの粘着具例えば袋体Ａの任意位置に封止テープ１を押しつける又は袋体Ａの任意位置に封止テープ１の第二の粘着部１６を押しつける等を行うことにより両者を粘着させるものであり、係るために粘着機７等を有するものであって、粘着工程を行えるものである。
【００３７】
この様に構成して封止テープ１を送ることにより袋体Ａの任意位置に順次封止テープ１を貼着できることとなる。
従って図２に示す封止テープ１を有する袋体Ａを簡単に製造できるものとなる。
【００３８】
図５は、本体ローラ３の一例の一部を示す図であり、本体ローラ３には回転方向の順次３列の吸引部３１である孔３１０が連設している状態を示す図である。
係る孔３１０から吸引しており、該孔３１０には封止テープ１が吸着されることとなる。
該封止テープ１は第二の粘着部１６とそれに続く剥離部１１を有しており、該剥離部１１の一部に折り返されて重ねられた第一の粘着部１５を有する。
【００３９】
この様な状態で封止テープ１が吸引部３１でローラ３に吸着状態で送られてくるものである。
従って、本体ローラ３の封止テープ１を吸引する吸引部３１の孔３１０が、切断すべきそれぞれの封止テープ１毎の幅方向に３列有する例であり、封止テープ１全体を吸着している一例を示す。
【００４０】
この場合３列に限らず２列でも或いは４列でも、更には横一列ではなくややずれた状態で２つ以上有するものであってもよい。
この様に構成することにより、長尺状の封止テープ１が本体ローラ３に密着状態で送ることができると共に更に切断部３２でこの封止テープ１が一定の長さで切断されて個々の封止テープ１となった場合にも個々の封止テープ１がきっちりと本体ローラ３に密着して送ることができることとなる。
【００４１】
図６は、前記のように切断部３２で切断されて切断線３２０を有する封止テープ１が吸引部３１で吸引された状態で本体ローラ３を間欠回転しつつ送られている状態の一例を示す。
本図に示すように切断線３２０で切断された個々の封止テープ１が吸引部３１の孔３１０により吸引されて本体ローラ３に吸着状態で順次送られる。
【００４２】
この後に送られてくる袋体Ａの任意位置迄送られて、該位置で該封止テープ１が袋体Ａに貼り付けられるものであり、袋体Ａへ貼り付ける時には吸引部３１の孔３１０からの吸引を中止或いは停止することにより本体ローラ３から封止テープ１が外れて袋体Ａに貼り付けることができる。
【符号の説明】
【００４３】
１        封止テープ
１０      粘着部
１１      剥離部
１２      ティアテープ
１５      第一の粘着部
１６      第二の粘着部
１７      剥離テープ
２        封止テープのローラ
３        本体ローラ
３１      吸引部
３２      切断部
４        送りローラ
５        巻き取りローラ
６        コンベア
７        粘着機
Ａ        袋体
Ｍ        モータ
【図１】
2019031292.tif 000003
【図２】
2019031292.tif 000004
【図３】
2019031292.tif 000005
【図４】
2019031292.tif 000006
【図５】
2019031292.tif 000007
【図６】
2019031292.tif 000008